(57)【要約】【課題】ＡＣ電源が供給されたときに起動状態となるプロジェクタにおいて、無駄な電力の消費を抑制する。【解決手段】プロジェクタ１は、外部機器１００から接続部材（ケーブル４０）を介して信号を入力する信号入力部（画像信号入力部３０）と、プロジェクタ１にＡＣ電源が供給されたときに、信号入力部に接続部材が接続されているか否かを検知する接続検知部３３と、接続検知部３３の検知結果に基づいて、接続部材が接続されている場合は、プロジェクタ１を光源（光源ランプ１１）が点灯している起動状態に移行させ、接続部材が接続されていない場合は、プロジェクタ１を光源が点灯していない待機状態に移行させる制御部２０と、を備える。【選択図】図１
2009288753.tif 000002
【特許請求の範囲】
【請求項１】
光源と、当該光源から射出された光を画像信号に応じて変調して画像を形成し、当該画
像を投写する画像投写部と、を有するプロジェクタであって、
外部機器から接続部材を介して信号を入力する信号入力部と、
前記プロジェクタにＡＣ電源が供給されたときに、前記信号入力部に前記接続部材が接
続されているか否かを検知する接続検知部と、
前記接続検知部の検知結果に基づいて、前記接続部材が接続されている場合は、前記プ
ロジェクタを前記光源が点灯している起動状態に移行させ、前記接続部材が接続されてい
ない場合は、前記プロジェクタを前記光源が点灯していない待機状態に移行させる制御部
と、
を備えることを特徴とするプロジェクタ。
【請求項２】
請求項１に記載のプロジェクタであって、
前記プロジェクタの起動処理が完了した際に、前記接続検知部が前記信号入力部に前記
接続部材が接続されていないことを検知した場合には、前記制御部は、前記プロジェクタ
を前記待機状態に移行させることを特徴とするプロジェクタ。
【請求項３】
請求項１または２に記載のプロジェクタであって、
前記プロジェクタに前記ＡＣ電源が供給されたときに、前記接続検知部の前記検知結果
に基づいて、前記プロジェクタを前記起動状態または前記待機状態に移行させる第１モー
ド、および、前記プロジェクタに前記ＡＣ電源が供給されたときに、前記接続検知部の前
記検知結果に係わらず前記プロジェクタを前記待機状態に移行させる第２モード、のいず
れか一方のモードを表すモード情報を設定可能なモード設定部をさらに備え、
前記プロジェクタに前記ＡＣ電源が供給されたときに、前記制御部は、前記モード設定
部に設定された前記モード情報に基づいて、移行する状態を制御することを特徴とするプ
ロジェクタ。
【請求項４】
請求項１乃至３のいずれか一項に記載のプロジェクタであって、
前記外部機器が、画像情報を記憶可能な記憶装置と、前記信号入力部に接続するための
前記接続部材とを一体的に備えた記憶媒体であることを特徴とするプロジェクタ。
【請求項５】
光源と、当該光源から射出された光を画像信号に応じて変調して画像を形成し、当該画
像を投写する画像投写部と、外部機器から接続部材を介して信号を入力する信号入力部と
、を有するプロジェクタの制御方法であって、
前記プロジェクタにＡＣ電源が供給されたときに、前記信号入力部に前記接続部材が接
続されているか否かを検知する接続検知工程と、
前記接続検知工程の検知結果に基づいて、前記接続部材が接続されている場合は、前記
プロジェクタを前記光源が点灯している起動状態に移行させ、前記接続部材が接続されて
いない場合は、前記プロジェクタを前記光源が点灯していない待機状態に移行させる制御
工程と、
を備えることを特徴とするプロジェクタの制御方法。
【発明の詳細な説明】
【技術分野】
【０００１】
本発明は、プロジェクタおよびその制御方法に関する。
【背景技術】
【０００２】
従来、プロジェクタにおいては、ＡＣ電源が供給されたときに、当該プロジェクタを起
動状態にするモード（以降、「ダイレクトオンモード」と呼ぶ）を備えているものがある
。このようなプロジェクタによれば、ＡＣ電源を供給するだけで起動されるため、電源キ
ーによる電源オン操作が不要となり、例えばプロジェクタを天吊り状態で使用する場合な
どに有効である。
【０００３】
また、特許文献１には、ダイレクトオンモードによってプロジェクタが起動された場合
、画像信号の入力が無い状態が所定時間継続したときに、光源ランプを消灯するプロジェ
クタ（画像表示装置）が開示されている。
【０００４】
【特許文献１】特開２００７−７２３２２号公報
【発明の開示】
【発明が解決しようとする課題】
【０００５】
しかしながら、ダイレクトオンモードを備えたプロジェクタによれば、ダイレクトオン
モード設定が有効な状態のままで、ユーザがＡＣ電源を遮断してプロジェクタの移動など
を行った場合、次にＡＣ電源の供給が行われると、ユーザにプロジェクタを起動する意図
がなくても、プロジェクタは起動して光源ランプが点灯してしまうという問題があった。
このとき、放電型光源ランプが使用されているプロジェクタの場合には、光源ランプの劣
化を防ぐために、光源ランプの点灯から一定の時間（例えば、３０秒程度）経過するまで
は、光源ランプをオフできないようになっており、ユーザは、光源ランプをオフできるよ
うになるまで、一定の時間を待たなければならなかった。
【０００６】
一方、特許文献１のプロジェクタによれば、所定時間（例えば、５分程度）経過すれば
光源ランプは自動的にオフされるため、ユーザは光源ランプをオフできるようになるまで
待つ必要はない。しかし、光源ランプは自動的にオフされるまで所定時間点灯しているた
め、無駄な電力を消費してしまう。
【課題を解決するための手段】
【０００７】
本発明は、上述の課題の少なくとも一部を解決するためになされたものであり、以下の
形態または適用例として実現することが可能である。
【０００８】
［適用例１］本適用例に係るプロジェクタは、光源と、当該光源から射出された光を画
像信号に応じて変調して画像を形成し、当該画像を投写する画像投写部と、を有するプロ
ジェクタであって、外部機器から接続部材を介して信号を入力する信号入力部と、前記プ
ロジェクタにＡＣ電源が供給されたときに、前記信号入力部に前記接続部材が接続されて
いるか否かを検知する接続検知部と、前記接続検知部の検知結果に基づいて、前記接続部
材が接続されている場合は、前記プロジェクタを前記光源が点灯している起動状態に移行
させ、前記接続部材が接続されていない場合は、前記プロジェクタを前記光源が点灯して
いない待機状態に移行させる制御部と、を備えることを特徴とする。
【０００９】
このようなプロジェクタによれば、プロジェクタにＡＣ電源（商用電源）が供給された
ときに、接続検知部が信号入力部に接続部材が接続されているか否かを検知する。制御部
は、その検知結果に基づき、接続部材が接続されていればプロジェクタを起動状態に移行
させ、接続部材が接続されていなければプロジェクタを待機状態に移行させる。これによ
り、ＡＣ電源が供給されたときに、ケーブル等の接続部材が接続されていなければ、プロ
ジェクタは起動することなく待機状態となるため、光源であるランプは点灯しない。ここ
で、ケーブル等が接続されていないときは、ユーザにはプロジェクタを直ちに使用する意
図がない（即ち起動状態にする意図がない）と想定することができる。よって、プロジェ
クタは待機状態となることによって、無駄な電力の消費を抑制することができる。さらに
、プロジェクタは起動状態にならないため、ユーザは、光源ランプのオフ操作が可能とな
るまで一定の時間を待って、光源ランプのオフ操作を行う必要がなくなる。一方、ＡＣ電
源が供給されたときに、ケーブル等の接続部材が接続されていれば、ユーザはプロジェク
タを直ちに使用する意図があると想定することができる。よって、プロジェクタは起動状
態となることによって、電源キー等による電源オン操作が不要となるため、ユーザにとっ
て利便性が高い。
ここで、「起動状態」とは、プロジェクタのメイン電力が供給されて、光源ランプが点
灯している電源オン状態であり、入力された画像信号に基づいて画像を投写している状態
を示す。また、「待機状態」とは、プロジェクタのメイン電力は供給されておらず、スタ
ンバイ電力のみが供給されて、光源ランプが消灯している電源オフ状態であり、電源キー
による電源オン操作を待ち受けている状態を示す。
【００１０】
［適用例２］上記適用例に係るプロジェクタにおいて、前記プロジェクタの起動処理が
完了した際に、前記接続検知部が前記信号入力部に前記接続部材が接続されていないこと
を検知した場合には、前記制御部は、前記プロジェクタを前記待機状態に移行させること
を特徴とする。
【００１１】
このようなプロジェクタによれば、ＡＣ電源が供給されて起動処理が完了した際に、接
続検知部が信号入力部に接続部材が接続されていないことを検知した場合に、制御部は、
プロジェクタを待機状態に移行させる。これにより、ＡＣ電源が供給されて、プロジェク
タの起動処理が開始されてしまっても、ユーザは信号入力部から接続部材を外すことによ
って、起動処理の完了後に待機状態に移行させることができる。よって、ユーザは光源ラ
ンプのオフ操作が可能となるまで一定の時間を待って、光源ランプのオフ操作を行う必要
がなくなる。また、光源ランプが点灯する時間は、起動処理を行っている時間に限られる
ため、無駄な電力の消費を低減することができる。
ここで、「起動処理」とは、プロジェクタにメイン電力が供給されて電源オン状態とな
った際に行われる初期化処理であり、ソフトウェアやハードウェアの初期化の処理、およ
び、光源ランプを点灯して所定の輝度に達するまでの一定の時間を含めた処理とする。
【００１２】
［適用例３］上記適用例に係るプロジェクタにおいて、前記プロジェクタに前記ＡＣ電
源が供給されたときに、前記接続検知部の前記検知結果に基づいて、前記プロジェクタを
前記起動状態または前記待機状態に移行させる第１モード、および、前記プロジェクタに
前記ＡＣ電源が供給されたときに、前記接続検知部の前記検知結果に係わらず前記プロジ
ェクタを前記待機状態に移行させる第２モード、のいずれか一方のモードを表すモード情
報を設定可能なモード設定部をさらに備え、前記プロジェクタに前記ＡＣ電源が供給され
たときに、前記制御部は、前記モード設定部に設定された前記モード情報に基づいて、移
行する状態を制御することを特徴とする。
【００１３】
このようなプロジェクタによれば、第１モードとして接続検知部の検知結果に基づいて
、プロジェクタを起動状態または待機状態にさせるモード、および、第２モードとして、
接続検知部の検知結果に係わらず、プロジェクタを待機状態にさせるモードを有する。そ
して、モード設定部には、第１モードおよび第２モードのいずれか一方のモードを表すモ
ード情報を設定可能とする。ＡＣ電源が供給されたときに、制御部は、モード設定部に設
定されたモード情報に基づいて移行する状態を制御する。これにより、ユーザは、モード
情報を設定することによって、ＡＣ電源が供給されたときにプロジェクタを所望の状態に
移行させることが可能になる。
【００１４】
［適用例４］上記適用例に係るプロジェクタにおいて、前記外部機器が、画像情報を記
憶可能な記憶装置と、前記信号入力部に接続するための前記接続部材とを一体的に備えた
記憶媒体であることを特徴とする。
【００１５】
このようなプロジェクタによれば、外部機器は、画像情報を記憶可能な記憶装置と接続
部材を一体的に備えた記憶媒体である。そして、制御部は、プロジェクタにＡＣ電源が供
給されたときに、信号入力部に記憶媒体が接続されていればプロジェクタを起動状態に移
行させ、記憶媒体が接続されていなければプロジェクタを待機状態に移行させる。これに
より、ＡＣ電源が供給されたときに記憶媒体が接続されていれば、ユーザにはプロジェク
タを直ちに使用する意図があると想定し、プロジェクタを起動状態に移行させることによ
って、電源キー等による電源オン操作が不要となり、ユーザの利便性を向上することがで
きる。
【００１６】
［適用例５］本適用例に係るプロジェクタの制御方法は、光源と、当該光源から射出さ
れた光を画像信号に応じて変調して画像を形成し、当該画像を投写する画像投写部と、外
部機器から接続部材を介して信号を入力する信号入力部と、を有するプロジェクタの制御
方法であって、前記プロジェクタにＡＣ電源が供給されたときに、前記信号入力部に前記
接続部材が接続されているか否かを検知する接続検知工程と、前記接続検知工程の検知結
果に基づいて、前記接続部材が接続されている場合は、前記プロジェクタを前記光源が点
灯している起動状態に移行させ、前記接続部材が接続されていない場合は、前記プロジェ
クタを前記光源が点灯していない待機状態に移行させる制御工程と、を備えることを特徴
とする。
【００１７】
このようなプロジェクタの制御方法によれば、プロジェクタにＡＣ電源が供給されたと
きに、接続部材が接続されていればプロジェクタを起動状態に移行させ、接続部材が接続
されていなければプロジェクタを待機状態に移行させる。これにより、ＡＣ電源が供給さ
れたときに、接続部材が接続されていなければ、プロジェクタは起動することなく待機状
態となるため、光源ランプは点灯しない。よって、ユーザは一定の時間を待って光源ラン
プのオフ操作を行う必要がなくなる。また、プロジェクタは、無駄な電力の消費を抑制す
ることができる。
【００１８】
また、上述したプロジェクタおよびその制御方法がプロジェクタに備えられたコンピュ
ータを用いて構築されている場合には、上記形態および上記適用例は、その機能を実現す
るためのプログラム、あるいは当該プログラムを前記コンピュータで読み取り可能に記録
した記録媒体等の態様で構成することも可能である。記録媒体としては、フレキシブルデ
ィスクやＣＤ−ＲＯＭ、光磁気ディスク、ＩＣカード、ＲＯＭカートリッジ、パンチカー
ド、バーコード等の符号が印刷された印刷物、プロジェクタの内部記憶装置（ＲＡＭやＲ
ＯＭ等のメモリ）、及び外部記憶装置等、前記コンピュータが読み取り可能な種々の媒体
を利用することができる。
【発明を実施するための最良の形態】
【００１９】
以下、本発明の実施形態として、光源から射出された光を、外部機器から入力される画
像信号に応じて変調して画像を形成し、形成した画像を投写レンズから投写面に投写する
プロジェクタについて説明する。
【００２０】
（実施形態）
図１は、本実施形態に係るプロジェクタの概略構成を示すブロック図である。図１を使
用して、プロジェクタ１の内部構成について説明する。
【００２１】
プロジェクタ１の装置本体は、画像投写部１０、制御部２０、入力操作部２１、光源制
御部２２、電源端子２８、電源回路２９、信号入力部としての画像信号入力部３０、入力
選択部３１、画像処理部３２、接続検知部３３、モード設定部３４等を備えている。
【００２２】
画像投写部１０は、超高圧水銀ランプやメタルハライドランプ等の放電型光源からなる
光源としての光源ランプ１１と、光変調装置としての液晶ライトバルブ１２と、投写レン
ズ１３と、液晶ライトバルブ１２を駆動するライトバルブ駆動部１４とを備えている。
【００２３】
液晶ライトバルブ１２は、一対の透明基板間に液晶が封入された透過型液晶パネル等に
よって構成される。ライトバルブ駆動部１４の駆動によって、液晶ライトバルブ１２の各
画素に画像信号に応じた駆動電圧が印加されると、各画素は、画像信号に応じた光透過率
で光源光を透過させる。
【００２４】
光源ランプ１１から射出された光は、この液晶ライトバルブ１２を透過することによっ
て変調され、変調後の光が投写レンズ１３によって投写されることにより、スクリーンＳ
Ｃ等に画像信号に応じた画像が表示される。
【００２５】
制御部２０は、ＣＰＵ（Central Processing Unit）、各種データの一時記憶等に用い
られるＲＡＭ（Random Access Memory）、および、マスクＲＯＭ（Read Only Memory）や
フラッシュメモリ、ＦｅＲＡＭ（Ferroelectric RAM：強誘電体メモリ）等の不揮発性の
メモリ等（いずれも図示せず）を備え、コンピュータとして機能するものである。制御部
２０は、ＣＰＵが不揮発性のメモリに記憶されている制御プログラムに従って動作するこ
とにより、プロジェクタ１の動作を統括制御する。
【００２６】
入力操作部２１は、プロジェクタ１に対して各種指示を行うための複数のキー等を備え
ている。入力操作部２１が備えるキーとしては、電源のオン／オフを行うための「電源キ
ー」や、入力端子を切り替えるための「入力切替キー」、各種設定を行うためのメニュー
画面の表示／非表示を切り替える「メニューキー」、メニュー画面におけるカーソルの移
動等に用いられる「カーソルキー」、各種設定を決定するための「決定キー」等がある。
ユーザが入力操作部２１を操作すると、入力操作部２１は、ユーザの操作内容に応じた操
作信号を制御部２０に出力する。なお、入力操作部２１は、リモコン信号受信部（図示せ
ず）と遠隔操作が可能なリモートコントローラ（図示せず）を有した構成としてもよい。
この場合、リモートコントローラは、ユーザの操作内容に応じた赤外線等の操作信号を発
し、リモコン信号受信部がこれを受信して制御部２０に伝達する。
【００２７】
光源制御部２２は、制御部２０の指示に基づいて、光源ランプ１１に対する電力の供給
と停止とを制御し、光源ランプ１１の点灯および消灯を切り替える。
【００２８】
画像信号入力部３０は、複数の入力端子３０ａを備えており、各入力端子３０ａには、
ビデオプレーヤやパーソナルコンピュータ等、外部機器１００から出力される画像信号が
接続部材としてのケーブル４０を介して入力される。入力端子３０ａは、ケーブル４０の
両端に取り付けられているコネクタ（ケーブル側コネクタ）４１との接続（嵌合）が可能
な装置側コネクタであり、ケーブル側コネクタ４１の一方が外部機器１００の出力端子に
接続され、他方が、入力端子３０ａに接続されることにより、外部機器１００からの画像
信号が入力可能となる。各入力端子３０ａに入力された画像信号は、入力選択部３１に供
給される。
【００２９】
入力選択部３１は、複数の入力端子３０ａのうち、制御部２０の指示に基づく１つの入
力端子３０ａを選択し、この入力端子３０ａに入力される画像信号を画像処理部３２に出
力する。ユーザが、入力操作部２１に備わる入力切替キーを操作して所望の入力端子３０
ａを指定すると、制御部２０は、この入力端子３０ａに入力されている画像信号が画像処
理部３２に出力されるよう、入力選択部３１に指示をする。
【００３０】
画像処理部３２は、入力選択部３１から入力される画像信号を、液晶ライトバルブ１２
の各画素の階調を表す画像データ、即ち各画素に印加する駆動電圧を規定するための画像
データに変換する。そして、制御部２０の指示に基づいて、変換した画像データに対して
、明るさ、コントラスト、シャープネス、色合い等を調整するための処理等を行う。さら
に、画像処理部３２では、必要に応じてＯＳＤ（オンスクリーンディスプレイ）画像を画
像データに重畳する処理を行う。画像処理部３２で画質調整等がなされた画像データは、
ライトバルブ駆動部１４に出力される。
【００３１】
ライトバルブ駆動部１４が、画像処理部３２から入力される画像データに従って液晶ラ
イトバルブ１２を駆動すると、液晶ライトバルブ１２は、画像データに応じた画像を形成
し、この画像が投写レンズ１３から投写される。
【００３２】
接続検知部３３は、画像信号入力部３０の各入力端子３０ａにケーブル４０（ケーブル
側コネクタ４１）が接続されているか否かを検知して、検知結果を表す検知信号を制御部
２０に出力する。ケーブル４０の接続を検知する方法としては、例えば、特開平５−８２
２１４号公報に記載されている方法を用いることができる。
【００３３】
図２は、ケーブル４０および入力端子３０ａの構成を示した図である。ケーブル４０の
接続を検知する方法の具体的な例について、図２を用いて説明する。
図２に示すように、ケーブル側コネクタ４１は、センターピン４１ａと環状アース端子
４１ｂの２つの接触子を備えたピンプラグとする。そして、入力端子３０ａがこれに対応
するピンジャックとする。そして、入力端子３０ａの２つの接触子３５，３６のうち、環
状アース端子４１ｂに接続される接触子３６を２つ（接触子３６ａおよび接触子３６ｂ）
に分離する。そして、一方の接触子３６ａを接地して、他方の接触子３６ｂをプルアップ
すれば、接触子３６ｂの電位によって、ケーブル４０の接続の有無を検知することができ
る。この場合には、接触子３６ｂと、これをプルアップするための回路（抵抗３７）とが
接続検知部３３として機能する。
【００３４】
また、ケーブル４０の接続時にケーブル側コネクタ４１に押されてオンとオフとが切り
替わるスイッチを入力端子３０ａの近傍に備え、当該スイッチがオンかオフかによって、
ケーブル４０の接続を検知する方法を用いることもできる（例えば、特開２００４−２８
２３９５号公報、および特開２００６−８０８１６号公報参照）。また、ケーブル側コネ
クタ４１に、互いに短絡された複数の接触子が備わる場合には、これらに対応する入力端
子３０ａ側の接触子で短絡が生じているか否かを識別することによっても、ケーブル４０
が接続されているか否かを検知することができる。
【００３５】
図１に戻り、モード設定部３４は、不揮発性のメモリからなり、モード情報を記憶する
。ここで、モード情報とは、プロジェクタ１にＡＣ電源が供給されたときに、接続検知部
３３の検知結果に基づいて、プロジェクタ１を起動状態または待機状態に移行させる第１
モードとするか、プロジェクタ１にＡＣ電源が供給されたときに、接続検知部３３の検知
結果に係わらずプロジェクタ１を待機状態に移行させる第２モードとするかを表す情報で
ある。モード情報は、制御部２０によって書き込みおよび読み出しが行われる。本実施形
態では、ユーザが入力操作部２１を操作することで、制御部２０を介して、モード情報を
設定可能としている。例えば、プロジェクタ１にソフトウェアとして実装する機能設定メ
ニューに、「モード設定」項目を設け、ユーザが入力操作部２１を操作することによって
、モード情報を設定できるものとしてもよい。
【００３６】
電源回路２９には、ＡＣ１００Ｖ等のＡＣ電源（商用電源）が電源端子２８を介して外
部から供給される。電源回路２９は、ＡＣ電源を所定の電圧の直流電源に変換して、プロ
ジェクタ１の各部に電力を供給する。また、電源回路２９は、制御部２０の指示に基づい
て、光源ランプ１１を点灯して画像の投写に必要なメイン電力と、メイン電力の供給を停
止して、電源をオンにするための操作を待機する状態に必要なスタンバイ電力とを切り替
えて供給することができる。
【００３７】
次に、電源端子２８に電源ケーブル（図示せず）が接続され、電源回路２９にＡＣ電源
が供給されたときに、プロジェクタ１が行う処理（電源モード判定処理）について、フロ
ーチャートを用いて説明する。図３は、プロジェクタ１の電源モード判定処理のフローチ
ャートである。
【００３８】
ＡＣ電源が供給されると、電源回路２９によりスタンバイ電力が供給され、制御部２０
は、モード設定部３４から設定されているモード情報を読み出す（ステップＳ１０１）。
そして、制御部２０は、読み出したモード情報が第１モードか否かを判断する（ステップ
Ｓ１０２）。第１モードでなかった場合（即ち、第２モードであった場合）（ステップＳ
１０２：ＮＯ）、制御部２０は、プロジェクタ１を待機状態に移行させる（ステップＳ１
１１）。そして、電源モード判定処理を終了する。なお、待機状態では、光源ランプ１１
は消灯しており、電源キーによる電源オン操作を待ち受ける。
【００３９】
第１モードであった場合（ステップＳ１０２：ＹＥＳ）、接続検知部３３は、制御部２
０からの指示により、画像信号入力部３０の各入力端子３０ａについてケーブル４０の接
続状況を検知する（ステップＳ１０３）。そして、接続検知部３３からの検知信号によっ
て、制御部２０は、ケーブル４０が接続されているか否か（少なくとも１つ以上の入力端
子３０ａに接続があるか否か）を判断する（ステップＳ１０４）。ケーブル４０が接続さ
れていない場合（ステップＳ１０４：ＮＯ）、制御部２０は、プロジェクタ１を待機状態
に移行させる（ステップＳ１１１）。そして、電源モード判定処理を終了する。
【００４０】
ケーブル４０が接続されていた場合（ステップＳ１０４：ＹＥＳ）、制御部２０は、プ
ロジェクタ１の起動処理を開始する（ステップＳ１０５）。本実施形態では、起動処理で
は、制御部２０が電源回路２９に指示を出してメイン電力の供給を開始させる。さらに、
制御部２０は、ＣＰＵの初期化やＲＡＭ等のメモリの初期化を行う。また、制御部２０か
らの指示を受けて、入力選択部３１や画像処理部３２は初期化処理を行う。また、その他
のソフトウェアやハードウェアの初期化等も行われる。さらに、起動処理では、制御部２
０からの指示を受けて、光源制御部２２に光源ランプ１１の点灯を行う。そして、制御部
２０は内蔵するタイマ（図示せず）によって、光源ランプ１１が所定の輝度に達するまで
の時間（一定の時間）待ちを行う。
【００４１】
そして、制御部２０は、起動処理が完了したか否かを判断する（ステップＳ１０６）。
起動処理が完了していなければ、完了するまで待ち続ける（ステップＳ１０６：ＮＯ）。
起動処理が完了したら（ステップＳ１０６：ＹＥＳ）、接続検知部３３は、制御部２０か
らの指示により、画像信号入力部３０の各入力端子３０ａについてケーブル４０の接続状
況を検知する（ステップＳ１０７）。そして、接続検知部３３からの検知信号によって、
制御部２０は、ケーブル４０が接続されているか否かを判断する（ステップＳ１０８）。
【００４２】
ケーブル４０が接続されていた場合（ステップＳ１０８：ＹＥＳ）、制御部２０は、プ
ロジェクタ１を起動状態に移行させる（ステップＳ１０９）。そして、電源モード判定処
理を終了する。なお、起動状態では、光源ランプ１１が点灯し、画像信号入力部３０に入
力されている画像信号に基づいた画像が画像投写部１０から投写される。
【００４３】
ケーブル４０が接続されていない場合（ステップＳ１０８：ＮＯ）、制御部２０は、光
源制御部２２に光源ランプ１１を消灯させ、プロジェクタ１の投写終了に伴う処理を実行
する（ステップＳ１１０）。このとき、制御部２０は、電源回路２９に指示を出してスタ
ンバイ電力に切り替えさせる。そして、制御部２０は、プロジェクタ１を待機状態に移行
させる（ステップＳ１１１）。そして、電源モード判定処理を終了する。
【００４４】
本実施形態のプロジェクタ１は、上記のように動作するため、第１モードに設定された
状態でＡＣ電源が供給された際には、ケーブル４０が接続されていれば起動処理を開始し
、ケーブル４０が接続されていなければ待機状態となる。また、ＡＣ電源の供給時にケー
ブル４０が接続されていて起動処理を開始した場合において、起動処理が完了したときに
ケーブル４０が未接続になっていれば、投写終了に伴う処理を行って待機状態に移行する
。
なお、待機状態では、電源キーを操作することによって起動状態に移行できる。また、
起動状態で電源キーが操作された場合には待機状態に移行する。
【００４５】
上述した実施形態によれば、以下の効果が得られる。
（１）プロジェクタ１は、第１モードが設定されている場合、ＡＣ電源（商用電源）が
供給されたときにケーブル４０が接続されていなければ、起動することなく待機状態とな
るため、光源ランプ１１は点灯しない。即ち、ケーブル４０が接続されていないときは、
ユーザにはプロジェクタ１を直ちに使用する意図がないと想定できるため、プロジェクタ
１を起動しない。これにより、プロジェクタ１は、無駄な電力の消費を抑制することがで
きる。また、無駄に光源ランプ１１を点灯することで、光源ランプ１１を使用可能な残時
間（即ちランプ寿命）が短縮されたり、光源ランプ１１が劣化したりすることを抑制する
ことができる。また、ユーザは、光源ランプ１１のオフ操作が可能となるまで一定の時間
（起動処理が完了するまでの時間）を待って、電源キーを押下するといった光源ランプ１
１をオフさせるための操作が不要となるため、利便性が向上する。また、ＡＣ電源が供給
されたときに、ケーブル４０が接続されていれば、プロジェクタ１は起動状態となるので
、天吊り状態で設置されている場合についても、ＡＣ電源によってプロジェクタ１の電源
オン／オフを行うことが可能であるため、ダイレクトオンモードによる利便性を損なうこ
とがない。
【００４６】
（２）プロジェクタ１は、ＡＣ電源が供給されて起動処理が完了したときに、接続検知
部３３が画像信号入力部３０の入力端子３０ａにケーブル４０が接続されていないことを
検知した場合に、待機状態に移行する。これにより、ＡＣ電源が供給されて、プロジェク
タ１の起動処理が開始されてしまっても、ユーザは入力端子３０ａからケーブル４０を外
すことによって、起動処理の完了後に、待機状態に移行させることができる。よって、光
源ランプ１１のオフ操作が可能となるまで一定の時間（起動処理が完了するまでの時間）
を待って、電源キーを押下するといった光源ランプ１１をオフさせるための操作が不要と
なるため、利便性が向上する。また、光源ランプ１１が点灯する時間は、起動処理を行っ
ている時間に限られるため、無駄な電力の消費を低減することができる。また、光源ラン
プ１１の使用可能な残時間が短縮されてしまうことを抑制することができる。また、プロ
ジェクタ１は、起動処理が完了するまで（即ち所定の輝度に達するまで）は光源ランプ１
１をオフしないので、光源ランプ１１の劣化を防ぐことができる。
【００４７】
（３）プロジェクタ１は、ＡＣ電源が供給されたときに、モード設定部３４に設定され
たモード情報に基づいて、移行する状態を切り替えることができる。これにより、ユーザ
は、モードを設定することによって、ＡＣ電源が供給されたときにプロジェクタ１を所望
の状態に移行させることが可能になるため、利便性が向上する。
【００４８】
なお、上述した実施形態に限定されず、種々の変更や改良等を加えて実施することが可
能である。変形例を以下に述べる。
【００４９】
（変形例１）上記実施形態では、接続検知部３３は、画像信号入力部３０の各入力端子
にケーブル４０が接続されているか否かを検知するものとしたが、接続検知部３３の検知
対象は、画像信号入力部３０に限定するものではない。例えば、音声信号の信号入力部（
図示せず）に音声ケーブルが接続されているか否かについても検知するものとしてもよい
。また、ＵＳＢ（Universal Serial Bus）の通信信号入出力部（図示せず）や、ＲＳ−２
３２Ｃの通信信号入出力部（図示せず）、ＩＰネットワークの通信信号入出力部（図示せ
ず）等の信号入出力部にケーブルが接続されているか否かについても検知するものとして
もよい。こうすれば、いずれかの信号入力部や信号入出力部に、ケーブルが接続されてい
る場合については、ユーザにはプロジェクタ１を直ちに使用する意図があると想定して、
ＡＣ電源が供給されたときにプロジェクタ１を起動状態に移行させることができる。また
、いずれの信号入力部および信号入出力部にもケーブルが接続されていない場合について
は、ユーザにはプロジェクタ１を直ちに使用する意図がないと想定して、ＡＣ電源が供給
されたときにプロジェクタ１を待機状態に移行させることが可能となる。よって、ユーザ
の利便性を向上することができる。
【００５０】
（変形例２）上記実施形態では、外部機器１００からケーブル４０を介して画像信号が
入力される態様を示しているが、外部機器１００とプロジェクタ１を接続する態様はこれ
に限定するものではない。例えば、画像情報を記憶可能な記憶装置と、入力端子３０ａに
接続するためのコネクタ（接続部材）とを一体的に備えた記憶媒体（例えば、ＵＳＢメモ
リや、メモリカード等）を外部機器１００とすることも可能である。この場合には、上記
コネクタが接続部材に相当する。こうすれば、このような外部機器１００が接続されてい
れば、ユーザにはプロジェクタ１を直ちに使用する意図があると想定して、ＡＣ電源が供
給されたときにプロジェクタ１を起動状態に移行させることで、ユーザの利便性を向上す
ることができる。
【００５１】
（変形例３）上記実施形態では、プロジェクタ１は、外部機器１００から接続部材（ケ
ーブル４０）を介して画像信号を入力するものとしたが、ＤＶＤ（Digital Versatile Di
sk）再生装置を一体的に備えるプロジェクタとし、そのＤＶＤ再生装置から画像信号を入
力するものとしてもよい。この場合は、プロジェクタの内部に、ＤＶＤメディアからデー
タを読み取って信号処理を行うＤＶＤ再生部（図示せず）を備える。そして、ＤＶＤ再生
部によって信号処理された画像信号が、入力端子の１つに供給される。そして、接続検知
部は、ＤＶＤ再生部にＤＶＤメディアが装填されているか否かを検知する。こうすれば、
ＤＶＤ再生部にＤＶＤメディアが装填されていれば、ユーザにはプロジェクタを直ちに使
用する意図があると想定して、ＡＣ電源が供給されたときにプロジェクタを起動状態に移
行させることで、ユーザの利便性を向上することができる。
【００５２】
（変形例４）上記実施形態では、光変調装置として、透過型の液晶ライトバルブ１２を
用いているが、反射型の液晶ライトバルブ等、反射型の光変調装置を用いることも可能で
ある。また、入射した光の射出方向を、画素としてのマイクロミラー毎に制御することに
より、光源から射出した光を変調する微小ミラーアレイデバイス等を用いることもできる
。
【図面の簡単な説明】
【００５３】
【図１】実施形態に係るプロジェクタの概略構成を示すブロック図。
【図２】ケーブルおよび入力端子の構成を示した図。
【図３】プロジェクタの電源モード判定処理のフローチャート。
【符号の説明】
【００５４】
１…プロジェクタ、１０…画像投写部、１１…光源ランプ、１２…液晶ライトバルブ、
１３…投写レンズ、１４…ライトバルブ駆動部、２０…制御部、２１…入力操作部、２２
…光源制御部、２８…電源端子、２９…電源回路、３０…画像信号入力部、３０ａ…入力
端子、３１…入力選択部、３２…画像処理部、３３…接続検知部、３４…モード設定部、
３５，３６ａ，３６ｂ…接触子、３７…抵抗、４０…ケーブル、４１…ケーブル側コネク
タ、４１ａ…センターピン、４１ｂ…環状アース端子、１００…外部機器。
【図１】
2009288753.tif 000003
【図２】
2009288753.tif 000004
【図３】
2009288753.tif 000005